(57)【要約】タワートップ増幅装置を移動通信基地局のアンテナに直接締結させるとともに、電気的に接続させる、アンテナに直結される着脱式タワートップ増幅装置を開示する。タワートップ増幅装置は、アンテナ部と、アンテナ部に接続されて送受信信号を増幅するタワートップ増幅部と、アンテナ部の一側面に備えられて、タワートップ増幅部とアンテナ部とを締結させるととも、電気的に接続させる接続装置部とを含む。このように、基地局アンテナにタワートップ増幅部をケーブル無しに直接締結させるとともに、電気的に接続させることにより、タワートップ増幅装置の設置及び分離作業が容易になる。また、従来の外部に露出されたケーブルが存在しないため、通信機器の外観も改善される。その上、タワートップ増幅部を基地局アンテナにアンテナと同じ形状でケーブル無しに直接締結させるとともに、電気的に接続させることにより、アンテナと一体型で構成することも可能である。
2007528180.tif 000002
【特許請求の範囲】
【請求項１】
移動通信基地局におけるアンテナシステムのアンテナ部に直結される着脱式タワートップ増幅装置であって、
アンテナ部に接続されて送受信信号を増幅するタワートップ増幅部と、
前記アンテナ部の一側面に備えられて、前記タワートップ増幅部とアンテナ部とを締結する接続装置部と、を含むことを特徴とするタワートップ増幅装置。
【請求項２】
前記接続装置部は、環状や半球状からなり、その一側面には、前記タワートップ増幅部の外観ケースの端部と結合する結合溝が形成されたことを特徴とする請求項１に記載のタワートップ増幅装置。
【請求項３】
前記接続装置部の一側面の所定位置には、前記タワートップ増幅部の長さ方向に複数のねじホールが形成され、
前記タワートップ増幅部の長さ方向に貫通する複数のねじは、前記ねじホールに挿入されることを特徴とする請求項１に記載のタワートップ増幅装置。
【請求項４】
前記接続装置部の一側面の所定位置に備えられた給電ポートと、前記タワートップ増幅部の上部に備えられた給電ポートとは、ケーブル無しに接続が可能なスナップオンタイプのコネクタであることを特徴とする請求項１に記載のタワートップ増幅装置。
【請求項５】
前記接続装置部の一側面の所定位置に備えられたドレインポートと、前記タワートップ増幅部の上部に備えられたドレインポートとは、ケーブル無しに接続が可能なスナップオンタイプのコネクタであることを特徴とする請求項１に記載のタワートップ増幅装置。
【発明の詳細な説明】
【技術分野】
【０００１】
本発明は、移動通信基地局のアンテナに係り、特に、タワートップ(tower top)増幅器を別途のケーブル無しにアンテナに直結させる着脱可能なタワートップ増幅装置に関する。
【背景技術】
【０００２】
移動通信基地局システムの送受信動作について説明する。送信しようとする信号を基地局内に位置した高出力増幅器で増幅した後に、給電ケーブルを介して、タワー上に設けられたアンテナに伝えると、送信アンテナは、送信信号を空間に複写する。一方、加入者端末機のアンテナで複写されて受信アンテナで受信された信号も、給電ケーブルを介して、基地局内の受信用低雑音増幅器に伝送される。その後、低雑音増幅器は、受信された弱い信号を基地局で必要な強度の信号に増幅する。
一般に、移動通信基地局システムは、都心建物の屋上などに設けられる。この際、アンテナは、アンテナ支持台やタワートップに備えられて基地局装置より高く設けられる。したがって、屋外に設けられる基地局システムとアンテナとは、相当な距離だけ離間される。その信号減衰を防止するために、給電ケーブルとしては、高値の低損失高出力ケーブルを使用する。
【０００３】
しかしながら、基地局システムとアンテナとの配線長さが数十メートルに至るため、受信時に入力信号の１/２(３dB)に当たる電力消耗が発生する。すなわち、信号の受信時に相対的に雑音が増えて、受信感度が低下する。また、送信のためには、高値かつ大型、低効率を有する高出力増幅器を使用しなければならない。上述したように、アンテナが基地局システムから遠く設けられる場合、これらを接続する長い伝送線路に応じる電力損失が増えて、システムの性能劣化をもたらす。このようなシステムの性能低下を補償するために、送受信フィルターと増幅器とをアンテナの近くに装着して送受信性能を向上させるタワートップ増幅装置が使用されている。
しかしながら、基地局の状況に応じてタワートップ増幅装置を使用するか、使用しないことがあるため、基地局アンテナとタワートップ増幅装置とを別途に製作して必要に応じて接続させる。一般に、タワートップ増幅装置をアンテナの下端に設けて、ケーブルを通じてタワートップ増幅装置をアンテナに接続させる。上述したように、従来では、アンテナにタワートップ増幅装置をケーブルを用いて接続させたが、これにより、作業者の不便をもたらし、外観も良好でなく、それで漏水確率及びコストを高める。
【発明の開示】
【発明が解決しようとする課題】
【０００４】
上記背景に鑑みて、本発明の目的は、タワートップ増幅装置を基地局アンテナにケーブル無しに直接に締結させることにより、タワートップ増幅装置の設置及び分離作業を容易にするアンテナに直結される着脱式タワートップ増幅装置を提供することである。
本発明の他の目的は、タワートップ増幅装置を基地局アンテナにケーブル無しに直接に締結させるとともに、電気的に接続可能にすることにより、通信機器の外観を改善させた、アンテナに直結される着脱式タワートップ増幅装置を提供することである。
また、本発明の他の目的は、タワートップ増幅装置を基地局アンテナにアンテナと同じ形状でケーブル無しに締結させるとともに、電気的にも接続可能にすることにより、アンテナと一体型で構成される、アンテナに直結される着脱式タワートップ増幅装置を提供することである。
【課題を解決するための手段】
【０００５】
このような目的を達成するために、本発明によれば、移動通信基地局におけるアンテナシステムのアンテナ部に直結される着脱式タワートップ増幅装置は、アンテナ部に接続されて送受信信号を増幅するタワートップ増幅部と、アンテナ部の一側面に備えられて、タワートップ増幅部とアンテナ部とを締結する接続装置部と、を含むことを特徴とする。
【発明の効果】
【０００６】
上述したように、基地局アンテナにタワートップ増幅部をケーブル無しに直接締結させるとともに、電気的に接続させることにより、タワートップ増幅装置の設置及び分離作業が容易になる。また、従来の外部に露出されたケーブルが存在しないため、通信機器の外観が良好になる。その上、タワートップ増幅部を基地局アンテナにアンテナと同じ形状でケーブル無しに直接締結させるとともに、電気的に接続させることにより、アンテナと一体型で構成することができる。
【発明を実施するための最良の形態】
【０００７】
以下、本発明の好適な実施形態について添付図面を参照して詳細に説明する。
一般に、移動通信基地局アンテナ部の外観は、円状又は半球状からなる。本発明では、円柱状のレーザードーム(laser dome)からなるアンテナを例として説明する。
【０００８】
図１は、本発明によるアンテナに直結される着脱可能なタワートップ増幅装置の外観図である。図１に示したように、タワートップ増幅器は、アンテナ部１０と、タワートップ増幅部２０と、アンテナ部１０の下側面に備えられてアンテナ部１０とタワートップ増幅部２０とをケーブル無しに接続させる接続装置部(connecting unit)３０とを含む。
【０００９】
図２及び図３に示したように、アンテナ部１０の外観ケースの端部と接続装置部３０の上側面とを第１の結合溝を通じて接続するように、第１の結合溝３１を接続装置部３０の上側面の端部に形成し、タワートップ増幅部２０の外観ケースの端部と接続装置部３０の下側面とを第２の結合溝３２を通じて接続するように、 第２の結合溝３２を接続装置部３０の下側面の端部に形成する。
また、第１の結合溝３１の垂直方向には、アンテナ部１０の外観ケースの下端外周面に形成された４つの第１のねじホールと一致するように４つの第２のねじホール３１ａを形成する。
さらに、接続装置部３０の下側面の所定位置には、４つの第３のねじホール３３を形成する。
【００１０】
図４に示したように、接続装置部３０の下側面の所定位置には、アンテナ部１０の給電ポート３４を備えるが、スナップオンタイプ(Snap on type)のコネクタとして構成する。
【００１１】
図５に示したように、タワートップ増幅部２０の外観ケースを、アンテナ部１０の外観ケースと同じ直径で形成するとともに、接続装置部３０の第２の結合溝３２に挿入されるように構成する。
タワートップ増幅部２０の下側面の所定位置には、タワートップ増幅部２０の長さ方向に貫通する４つの第２のねじ２１を備え、接続装置部３０の下側面に備えられた第３のねじホール３３に締結されるようにする。
タワートップ増幅部２０の上側面の所定位置には、給電ポート２２を備えるが、スナップオンタイプのコネクタとして構成する。
アンテナ部１０の下端とタワートップ増幅部２０の上端とに存在する湿気を排出するためのドレインポート２３も、スナップオンタイプのコネクタとして構成する。
【００１２】
以下、本発明の好適な実施形態に応じてタワートップ増幅装置の動作について添付図面を参照して詳しく説明する。
まず、接続装置部３０の第１の結合溝３１に、アンテナ部１０の外観ケースの下端が挿入されるようにして、接続装置部３０がアンテナ部１０の下部キャップを構成するようにする。
このとき、アンテナ部１０の外観ケースの下端の外周面に形成された４つの第１のねじホールと、接続装置部３０の第１の結合溝３１の垂直方向に形成された４つの第２のねじホール３１ａとを一致させた後に、第１のねじ３５で固定させる。
アンテナのみを設ける場合には、アンテナ部１０をタワートップなどに直接設ける。
その後、タワートップ増幅装置をさらに設ける必要がある場合、送受信フィルター及び増幅器が装着されたタワートップ増幅部２０の外観ケースの上端を、接続装置部３０の下側面に形成された第２の結合溝３２に挿入させる。
この際、図５に示したように、接続装置部３０の下端に備えられた給電ポート３４及びドレインポート３６と、タワートップ増幅部２０の上端に備えられた給電ポート２２及びドレインポート２３とは、スナップオンタイプのコネクタで構成されるため、タワートップ増幅部２０を第２の結合溝３２に挿入させるために押す動作のみでも、容易に締結される。
また、タワートップ増幅部２０の長さ方向に貫通する第２のねじ２１を、接続装置部３０の下側面の所定位置に形成された第３のねじホール３３に一致させた後に、固定させる。
【００１３】
このように、本発明のタワートップ増幅装置は、別途のケーブル無しにアンテナ部１０との結合が可能となる。
また、タワートップ増幅部２０とアンテナ１０とを１つの外観ケース内に直接締結させることにより、一体型の基地局アンテナシステムを構成する。
一方、タワートップ増幅部２０をアンテナ部１０から分離しようとする場合、第３のねじホール３３に締結された第２のねじ２１を解除した後に、タワートップ増幅部２０を接続装置部３０の第２の結合溝３２から分離させると、分離動作を容易に遂行することができる。
この際、接続装置部３０の給電ポート３４及びドレインポート３６と、タワートップ増幅部２０の給電ポート２２及びドレインポート２３とは、スナップオンタイプのコネクタなので、引っ張る動作のみでも、容易に分離される。
【００１４】
以上、本発明の詳細について具体的な実施形態に基づいて説明してきたが、本発明の範囲を逸脱しない限り、当該分野における通常の知識を持つ者により、各種の変形が可能なのは明らかである。
【図面の簡単な説明】
【００１５】
【図１】本発明の一実施形態によるアンテナに直結される着脱式タワートップ増幅装置の外観図である。
【図２】本発明の一実施形態によるアンテナに直結される着脱式タワートップ増幅装置の接続装置部の一側面を示した斜視図である。
【図３】本発明の一実施形態によるアンテナに直結される着脱式タワートップ増幅装置の他側面を示した斜視図である。
【図４】図３のＡ-Ａ'線の断面図であって、本発明によるアンテナに直結される着脱式タワートップ増幅装置の接続装置部の構成を示した側断面図である。
【図５】本発明の一実施形態によるアンテナに直結される着脱式タワートップ増幅装置の使用状態を示した側断面図である。
【符号の説明】
【００１６】
１０  アンテナ部
２０  タワートップ増幅部
３０  接続装置部
【図１】
2007528180.tif 000003
【図２】
2007528180.tif 000004
【図３】
2007528180.tif 000005
【図４】
2007528180.tif 000006
【図５】
2007528180.tif 000007
【国際調査報告】
2007528180.tif 000008
2007528180.tif 000009